(57)【特許請求の範囲】
【請求項１】
第１のスイッチ回路と第２のスイッチ回路を順々にかつ一時的にＯＮさせることができるスイッチ装置であって、往復動作可能に構成され２つの折返し位置でそれぞれ保持される１つの操作子と、前記第１のスイッチ回路および前記第２のスイッチ回路を開閉可能な２つの可動端子とを備え、
前記２つの可動端子は、前記操作子の操作によって動作し、前記操作子の往路動作及び復路動作の各々で一方の可動端子が他方の可動端子よりも早く動作を開始し、かつ両方の可動端子が同時に動作を終了するように構成され、前記２つの可動端子の各々は同時には前記第１のスイッチ回路及び前記第２のスイッチ回路を閉じることができないように構成され、
前記第１のスイッチ回路と前記第２のスイッチ回路は、前記２つの可動端子の双方がその第１のスイッチ回路および第２のスイッチ回路のうちの同じ回路を閉じたときだけ当該回路がＯＮされるように構成され、
前記操作子が一方の折り返し位置にあるときには、前記他方の可動端子は前記第１のスイッチ回路を閉じた位置を取り、また、前記一方の可動端子は、前記第１のスイッチ回路と前記第２のスイッチ回路の双方に対して開いた第１の位置、又は前記第２のスイッチ回路を閉じた第２の位置を取って、前記第１のスイッチ回路と前記第２のスイッチ回路の双方がＯＦＦされ、
前記操作子を他方の折り返し位置に向けて動作させたとき、最初に前記一方の可動端子だけが動作し、前記一方の可動端子は、前記一方の折り返し位置で前記第１の位置にあったときには前記第２のスイッチ回路を閉じた位置を一旦経由しその第２のスイッチ回路から絶縁された後に、又は前記一方の折り返し位置で前記第２の位置にあったときにはその第２のスイッチ回路から絶縁された後に、前記第１のスイッチ回路を閉じた位置を取って、前記第１のスイッチ回路がＯＮとなり、
前記２つの可動端子の双方が前記第１のスイッチ回路を同時に閉じた後には、前記２つの可動端子の双方が動作し、前記操作子が他方の折り返し位置に至った状態では、前記他方の可動端子はその第１のスイッチ回路から絶縁された後に前記第２のスイッチ回路を閉じた位置を取り、前記一方の可動端子は、前記第１のスイッチ回路と前記第２のスイッチ回路の双方に対して開いた第３の位置、又はその第１のスイッチ回路を閉じたままの状態の第４の位置を取って、前記第１のスイッチ回路と前記第２のスイッチ回路の双方がＯＦＦとなり、
前記操作子を他方の折り返し位置から一方の折り返し位置に向けて動作させたとき、最初に前記一方の可動端子だけが動作し、前記一方の可動端子は、前記他方の折り返し位置で前記第３の位置にあったときには前記第１のスイッチ回路を閉じた位置を一旦経由しその第１のスイッチ回路から絶縁された後に、又は前記一方の折り返し位置で前記第４の位置にあったときにはその第１のスイッチ回路から絶縁された後に、前記第２のスイッチ回路を閉じた位置まで動作し、前記第２のスイッチ回路がＯＮとなり、
前記２つの可動端子の双方が前記第２のスイッチ回路を同時に閉じた後には、前記２つの可動端子の双方が動作し、前記操作子が一方の折り返し位置に至って、前記他方の可動端子は前記第２のスイッチ回路から絶縁された後に前記第１のスイッチ回路を閉じた位置を取り、前記一方の可動端子は、前記第１のスイッチ回路と前記第２のスイッチ回路の双方に対して開いた前記第１の位置、又は前記第２のスイッチ回路を閉じたままの前記第２の位置の元位置を取るように構成されている、
ことを特徴とするスイッチ装置。
【発明の詳細な説明】
【０００１】
【発明の属する技術分野】
本発明は、スイッチ装置に関するもので、さらに詳しくは、第１のスイッチ回路および第２のスイッチ回路を順々にかつ一時的にＯＮさせるスイッチ装置に関するものである。
【０００２】
【従来の技術】
例えば、鉄道模型のポイント切換えを行うにあたっては、ソレノイドを用いてポイント切換えを行うことが行われている。このソレノイドは、コイルと、永久磁石を支持する案内体とを備えており、コイルに電流を流すことで案内体を動作させ、これによりポイント切換えを行っている。また、ポイントを元に戻す場合には、前記とは逆方向の電流をコイルに流すこととしている。
【０００３】
ところで、コイルに流す電流の向きを変えるため、例えば図１６に示すようなスイッチ装置が用いられている。このスイッチ装置３０としては２極双投スイッチが用いられている。このスイッチ装置３０は、連動する２つの可動端子３２ａ，３２ｂと、４つの固定端子３３ａ，３３ｂ，３４ａ，３４ｂとを有している。このスイッチ装置１は、図１６（ｂ）に示すように２つの可動端子３２ａ，３２ｂを左側に動作させると、一方の可動端子３２ａが固定端子３４ａに、他方の可動端子３２ｂが固定端子３４ｂに接触し、第１のスイッチ回路（ここでは電流を正方向に流す回路）がＯＮして電流が正方向に流れ、また、図１６（ｃ）に示すように２つの可動端子３２ａ，３２ｂを右側に動作させると、一方の可動端子３２ａが固定端子３４ｂに、他方の可動端子３２ｂが固定端子３４ａに接触し、第２のスイッチ回路（ここでは電流を逆方向に流す回路）がＯＮして電流が逆方向に流れるようになっている。
【０００４】
【発明が解決しようとする課題】
しかしながら、ポイント切換えに使用されるスイッチ装置３０においては、図１６（ａ）に示すように、ポイント切換え後に可動端子３２ａ，３２ｂを開いた状態に戻してやる特別な機構が必要であったり、手で可動端子３２ａ，３２ｂを開いた状態に戻してやる必要があった。ポイント切換え後も、可動端子３２ａ，３２ｂの双方が１つのスイッチ回路について閉じた状態にあると、使用する電流値が大きいので、ソレノイドのコイルに過電流が流れるおそれがあるからである。
【０００５】
本発明は、かかる問題点に鑑みなされたもので、操作性に優れ、かつ簡易なスイッチ装置を提供することを目的としている。
【０００６】
【課題を解決するための手段】
本発明のスイッチ装置は、第１のスイッチ回路と第２のスイッチ回路を順々にかつ一時的にＯＮさせることができるスイッチ装置であって、往復動作可能に構成され２つの折返し位置でそれぞれ保持される１つの操作子と、前記第１のスイッチ回路および前記第２のスイッチ回路を開閉可能な２つの可動端子とを備え、
前記２つの可動端子は、前記操作子の操作によって動作し、前記操作子の往路動作及び復路動作の各々で一方の可動端子が他方の可動端子よりも早く動作を開始し、かつ両方の可動端子が同時に動作を終了するように構成され、前記２つの可動端子の各々は同時には前記第１のスイッチ回路及び前記第２のスイッチ回路を閉じることができないように構成され、
前記第１のスイッチ回路と前記第２のスイッチ回路は、前記２つの可動端子の双方がその第１のスイッチ回路および第２のスイッチ回路のうちの同じ回路を閉じたときだけ当該回路がＯＮされるように構成され、
前記操作子が一方の折り返し位置にあるときには、前記他方の可動端子は前記第１のスイッチ回路を閉じた位置を取り、また、前記一方の可動端子は、前記第１のスイッチ回路と前記第２のスイッチ回路の双方に対して開いた第１の位置、又は前記第２のスイッチ回路を閉じた第２の位置を取って、前記第１のスイッチ回路と前記第２のスイッチ回路の双方がＯＦＦされ、
前記操作子を他方の折り返し位置に向けて動作させたとき、最初に前記一方の可動端子だけが動作し、前記一方の可動端子は、前記一方の折り返し位置で前記第１の位置にあったときには前記第２のスイッチ回路を閉じた位置を一旦経由しその第２のスイッチ回路から絶縁された後に、又は前記一方の折り返し位置で前記第２の位置にあったときにはその第２のスイッチ回路から絶縁された後に、前記第１のスイッチ回路を閉じた位置を取って、前記第１のスイッチ回路がＯＮとなり、
前記２つの可動端子の双方が前記第１のスイッチ回路を同時に閉じた後には、前記２つの可動端子の双方が動作し、前記操作子が他方の折り返し位置に至った状態では、前記他方の可動端子はその第１のスイッチ回路から絶縁された後に前記第２のスイッチ回路を閉じた位置を取り、前記一方の可動端子は、前記第１のスイッチ回路と前記第２のスイッチ回路の双方に対して開いた第３の位置、又はその第１のスイッチ回路を閉じたままの状態の第４の位置を取って、前記第１のスイッチ回路と前記第２のスイッチ回路の双方がＯＦＦとなり、
前記操作子を他方の折り返し位置から一方の折り返し位置に向けて動作させたとき、最初に前記一方の可動端子だけが動作し、前記一方の可動端子は、前記他方の折り返し位置で前記第３の位置にあったときには前記第１のスイッチ回路を閉じた位置を一旦経由しその第１のスイッチ回路から絶縁された後に、又は前記一方の折り返し位置で前記第４の位置にあったときにはその第１のスイッチ回路から絶縁された後に、前記第２のスイッチ回路を閉じた位置まで動作し、前記第２のスイッチ回路がＯＮとなり、
前記２つの可動端子の双方が前記第２のスイッチ回路を同時に閉じた後には、前記２つの可動端子の双方が動作し、前記操作子が一方の折り返し位置に至って、前記他方の可動端子は前記第２のスイッチ回路から絶縁された後に前記第１のスイッチ回路を閉じた位置を取り、前記一方の可動端子は、前記第１のスイッチ回路と前記第２のスイッチ回路の双方に対して開いた前記第１の位置、又は前記第２のスイッチ回路を閉じたままの前記第２の位置の元位置を取るように構成されている。
【０００７】
上記した手段によれば、１つの操作子の動作によって、まず、一方の可動端子が動作して、他方の可動端子が閉じた状態となっているスイッチ回路について、当該一方の可動端子も閉じた状態となると、当該スイッチ回路が一時的にＯＮされ、さらに一方の可動端子が動作すると、当該可動端子は開いた状態となり、スイッチ回路は共にＯＦＦになる。
【０００８】
【発明の実施の形態】
以下、本発明の一実施形態のスイッチ装置を説明する。このスイッチ装置１は、第１のスイッチ回路（電流を正方向に流す回路）と第２のスイッチ回路（電流を逆方向に流す回路）を順々にかつ一時的にＯＮさせることができるものである。このスイッチ装置１は１つの切換えレバー２を備えている。この切換えレバー２は軸２ａを中心に回動可能（往復回転動作可能）となるようにボックス３に取り付けられている。また、この切換えレバー２には弧状の長孔２ｂが設けられ、この長孔２ｂには、一端がボックス３の固定部に掛けられたねじりコイルばね３ａの他端が掛けられている。そして、切換えレバー２は、このねじりコイルばね３ａの付勢力によって、２つの折返し位置で保持されるようになっている。なお、ここでは、弧状の長孔２ｂにねじりコイルばね３ａの一端を掛けているが、ねじりコイルばね３ａの一端がはまり込むことが可能であれば、その孔は弧状でなくても良い。ただし、弧状の長孔２ｂとした場合の方が切換えレバー２の操作に伴うねじりコイル３ａの負担が少ないので有利である。また、特に切換えレバー２の戻りが問題とならず、自身で２つの折返し位置で保持されるのであれば、ねじりコイルばね３ａは不要である。
【０００９】
また、ボックス３内の切換えレバー２の下側には２つのスライダ（スイッチ）４，５が設けられている。このスライダ４，５の上には、それぞれ、図２に示すように、一対の凸部４ａ，４ａおよび５ａ，５ａが設けられている。このうち凸部４ａ，４ａの設置間隔は凸部５ａ，５ａの設置間隔よりも小さくなっている。また、凸部４ａ，４ａの間および凸部５ａ，５ａの間には、切換えレバー２の突子２ｃの先端部が臨入しており、切換えレバー２を動作させることにより、スライダ４，５が追従して直線動作するようになっている。ただし、凸部４ａ，４ａの設置間隔の方が凸部５ａ，５ａの設置間隔よりも小さくなっているので、まず、スライダ４の方がスライダ５よりも早く動作を開始し、かつ、同時に動作を終了するようになっている。なお、ここでは、スライダ４，５の上に、それぞれ、一対の凸部４ａ，４ａおよび５ａ，５ａを設けているが、スライダ４，５のいずれか一方または双方について、前記一対の凸部に代えて凹部を設け、その凹部に切換えレバー２の突子２ｃの先端部を臨入させて、その壁に切換えレバー２の突子２ｃの先端部を当接させることにより、スライダ４，５を動作させるようにしても良い。
【００１０】
スライダ４，５の下側には、それぞれ、橋絡接点を構成する端子（以下「可動端子」という）４ｂ，５ｂが固定して設けられている。つまり、スライダ４，５の下面は真ん中部分がへこんだ形となっている。そして、このへこみ部分には、可動端子４ｂ，５ｂの折曲部分がはまりはまり込んでいる。この可動端子４ｂ，５ｂは、その両端が接点となっており、真ん中部分で適宜に後述の固定端子７ｂを電気的に跨ぐことができるようになっている。このスライダ４，５の下側に設けられる基板６には、端子（以下「固定端子」という）６ａ，６ｂおよび７ａ，７ｂが形成されている。可動端子４ｂ，５ｂの一端の接点はそれぞれ固定端子６ａ，６ｂに常時接触している。そして、可動端子４ｂによって固定端子６ａおよび７ａが相互に接続され、かつ、可動端子５ｂによって固定端子６ｂおよび７ｂが相互に接続された時、第１のスイッチ回路が可動端子４ｂ，５ｂにより閉じられた状態となり、第１のスイッチ回路がＯＮされ、一方、可動端子４ｂによって固定端子６ａおよび７ｂが相互に接続され、かつ、可動端子５ｂによって固定端子６ｂおよび７ａが相互に接続された時、第２のスイッチ回路が可動端子４ｂ，５ｂにより閉じられた状態となり、第２のスイッチ回路がＯＮされるようになっている。なお、ここでは、可動端子４ｂ，５ｂの両端部を接点とするため、可動端子４ｂ，５ｂの真ん中部分を折曲したが、要は、真ん中部分が実質的に導電性を持たなければ足りるので、例えば、可動端子４ｂ，５ｂの一方または双方について、真ん中を折曲する代わりに、真ん中部分に絶縁性材料をコーティングするようにしても良い。
【００１１】
続いて、図３に示す回路を用いて、このスイッチ装置１の作用を説明する。
【００１２】
まず、スイッチ装置１の切換えレバー２を図１の左方へ倒れている状態から右方へ倒す場合について説明する。スイッチ装置１の切換えレバー２が左方へ倒れている状態では、図３（ａ）に示すように、可動端子４ｂは、その一端の接点が固定端子６ａに接しており、他端の接点はどの固定端子にも接していない状態にある。一方、可動端子５ｂは、同図に示すように、その一端の接点が固定端子６ｂに、他端の接点が固定端子７ｂにそれぞれ接した状態にある。したがって、この状態では、第１のスイッチ回路および第２のスイッチ回路が共にＯＦＦの状態となっている。
【００１３】
この状態から、スイッチ装置１の切換えレバー２を右方へ倒すようにすると、最初に、スライダ４だけが左方に動く。その結果、可動端子４ｂも左方へ動作し、図３（ｂ）に示すように、可動端子４ｂによって固定端子６ａおよび７ｂが接続される。この状態では、同図に示すように、可動端子４ｂおよび５ｂの一端の接点が共に固定端子７ｂに接触することになるので、第１のスイッチ回路および第２のスイッチ回路が共にＯＦＦの状態を維持する。
【００１４】
その後、スイッチ装置１の切換えレバー２がさらに右方へ倒れると、なおもスライダ４ひいては可動端子４ｂだけが左方に動く。そして今度は、図３（ｃ）に示すように、可動端子４ｂによって固定端子６ａおよび７ａが接続される。これにより、同図に示すように、可動端子４ｂによって固定端子６ａおよび７ａが接続され、かつ、可動端子５ｂによって固定端子６ｂおよび７ｂが接続されるので、第１のスイッチ回路がＯＮの状態となる。
【００１５】
さらに、スイッチ装置１の切換えレバー２が右方へ倒れると、今度は、スライダ４，５が共に左方へ動く。そして今度は、図３（ｄ）に示すように、可動端子５ｂにより固定端子６ｂおよび７ａが接続されるが、可動端子４ｂの一端の接点が固定端子６ａだけに接触し他端の接点が固定端子のいずれにも接触していない状態となるので、第１のスイッチ回路および第２のスイッチ回路がＯＦＦの状態となる。この場合、可動端子４ｂの一端の接点が固定端子６ａに接触し、他端の接点が固定端子７ａに接触している状態であっても良い。
【００１６】
今度は、スイッチ装置１の切換えレバー２を右方へ倒れている状態から左方へ倒す場合について説明する。スイッチ装置１の切換えレバー２を左方へ倒すようにすると、最初に、スライダ４だけが右方に動く。その結果、可動端子４ｂも右方へ動作し、図４（ａ）に示すように、可動端子４ｂによって固定端子６ａおよび７ａが接続される。この状態では、同図に示すように、可動端子４ｂおよび５ｂの一端の接点が共に固定端子７ａに接続されることになるので、第１のスイッチ回路および第２のスイッチ回路が共にＯＦＦ状態を維持する。
【００１７】
その後、スイッチ装置１の切換えレバー２がさらに左方へ倒れると、なおもスライダ４ひいては可動端子４ｂだけが右方に動く。そして今度は、図４（ｂ）に示すように、可動端子４ｂによって固定端子６ａおよび７ｂが接続される。これにより、同図に示すように、可動端子４ｂによって固定端子６ａおよび７ｂが接続され、かつ、可動端子５ｂによって固定端子６ｂおよび７ａが接続されるので、第２のスイッチ回路がＯＮされる。
【００１８】
さらに、スイッチ装置１の切換えレバー２が左方へ倒れると、今度は、スライダ４，５が共に右方へ動く。そして今度は、図４（ｃ）に示すように、可動端子５ｂにより固定端子６ｂおよび７ｂが接続されるが、可動端子４ｂの両端の接点が固定端子６ａだけに接触する状態となるので、第１のスイッチ回路および第２のスイッチ回路が共にＯＦＦ状態となる。この場合、可動端子４ｂの一端の接点が固定端子６ａ、他端の接点が固定端子７ｂに接触している状態であっても良い。
【００１９】
このように構成されたスイッチ装置１によれば、１つの切換えレバー２の動作によって、まず、可動端子４ｂが動作して、他方の可動端子５ｂが閉じた状態となっているスイッチ回路について、当該可動端子４ｂが閉じた状態となると、当該スイッチ回路が一時的にＯＮされ、さらに可動端子４ｂが動作すると、当該可動端子４ｂは開いた状態となり、他方の可動端子５ｂは閉じた状態になる。このようなスイッチ装置１によれば、切換えレバー２の動作途中でスイッチ回路がＯＮし、切換えレバー２の折返し位置ではスイッチ回路がＯＦＦする。
【００２０】
図５には、このスイッチ装置１を適用したポイント切換え回路９０が示されている。このポイント切換え装置９０は、同図において符号９１に示す充放電回路を備えている。この充放電回路９１は、電気を蓄積するためのコンデンサＣを含んで構成されている。また、この充放電回路９１は、充電の際の突入電流を制限するための抵抗Ｒと、電流の逆流を防止するためのダイオードＤを含んで構成されている。コンデンサＣは図示しない電源によって充電されており、スイッチ装置１の第１のスイッチ回路および第２のスイッチ回路のいずれかがＯＮした時に放電を行う。同図は第１のスイッチ回路がＯＮした状態を示し、永久磁石９２がコイル９４ａに磁気着される。一方、図示はしないが、第２のスイッチ回路がＯＮした場合には、永久磁石９２がコイル９４ｂに磁気着される。そして、ポイント切換えは永久磁石の案内体の移動によって行われるようになっている。なお、同図に示すポイント切換え回路９０は２つのコイル９４ａ，９４ｂを有するが、コイルが１つの場合にも本スイッチ装置１を適用できることは勿論である。また、コイルが２つで択一的に通電を行って、永久磁石を通電したコイルに磁気着させる構成とすることも可能である。要は、コイルに流れる電流によって永久磁石をコイルに対して相対的に往復動作できるような構成であれば良い。このように構成されたポイント切換え回路９０によれば、瞬時に放電が行われ、コイル９４ａ，９４ｂにコンデンサＣに蓄えられた大きな電流が流れるが、その後は、第１のスイッチ回路または第２のスイッチ回路がＯＮしていても、第１のスイッチ回路または第２のスイッチ回路には大きな電流は流れなくなるので、第１のスイッチ回路および第２のスイッチ回路をＯＦＦにする必要はない。しかし、コイル９４ａ，９４ｂに常時に電流が流れるのを防止し、省電力化を図るためには、やはり、本スイッチ装置１を設け、第１のスイッチ回路および第２のスイッチ回路をＯＦＦにするようにしておくことが好ましい。
【００２１】
図６（ａ），（ｂ）には本発明の第２の実施形態の要部が示されている。この実施形態のスイッチ装置１０が第１の実施形態のスイッチ装置１と異なる点は、スライダ４を介してスライダ５を動作させるようにしている点である。この構造を実現するため、スライダ４を短くし、スライダ５の方は平面的に見て「コ」字状に構成している。この第２の実施形態では、第１の実施形態におけるようなスライダ５の凸部５ａ，５ａは不要である。その他の点は、第１の実施形態と同じであり、第１の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００２２】
この実施形態においてはスライダ４，５は第１の実施形態と同じ動作をするので、同じ効果が得られる。
【００２３】
図７（ａ），（ｂ）には本発明の第３の実施形態の要部が示されている。この実施形態のスイッチ装置１１が第１の実施形態のスイッチ装置１と異なる点は、スライダ４を介してスライダ５を動作させるようにしている点である。この構造を実現するため、スライダ５を短くし、スライダ４の方は平面的に見て「コ」字状に構成している。この第３の実施形態では、第１の実施形態におけるようなスライダ５の凸部５ａ，５ａは不要である。その他の点は、第１の実施形態と同じであり、第１の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００２４】
この実施形態においても第１の実施形態と同じ効果が得られる。
【００２５】
図８（ａ），（ｂ）には本発明の第４の実施形態の要部が示されている。この実施形態のスイッチ装置１２が第１の実施形態のスイッチ装置１と異なる点は、スライダ４とスライダ５とが同じ構成で配設位置が逆となっており、切換えレバー２の突子２ｃの左右の形を変えることで、スライダ４，５の動作タイミングに変化をもたせるようにしている点である。その他の点は、第１の実施形態と同じであり、第１の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００２６】
この実施形態においても第１の実施形態と同じ効果が得られる。
【００２７】
図９（ａ），（ｂ）には本発明の第５の実施形態の要部が示されている。この実施形態のスイッチ装置１３が第１の実施形態のスイッチ装置１と異なる点は、スライダ４，５の代わりに、１つのスライダ１４を用いて可動端子４ｂ，５ｂ（図示せず）を動作させている点である。この構造を実現するため、可動端子４ｂ，５ｂの一方または双方をスライダ１４に対して移動可能とし、スライダ１４の下側の可動端子取付用の凹部（図示せず）の長さを変えることで、可動端子４ｂ，５ｂの動作タイミングに変化をもたせるようにしている。その他の点は、第１の実施形態と同じであり、第１の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００２８】
この実施形態においても第１の実施形態と同じ効果が得られる。
【００２９】
図１０には本発明の第６の実施形態の要部が示されている。この実施形態のスイッチ装置１５は、第２の実施形態の切換えレバー２の代わりに、スライダ４に設けたつまみ（操作子）１６により、スライダ４を直接動作させるようにしている。その他の点は、第２の実施形態と同じであり、第２の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００３０】
この実施形態においても第１の実施形態と同じ効果が得られる。
【００３１】
図１１には本発明の第７の実施形態の要部が示されている。この実施形態のスイッチ装置１７は、第３の実施形態の切換えレバー２の代わりに、スライダ４に設けたつまみ（操作子）１８により、スライダ４を直接動作させるようにしている。その他の点は、第３の実施形態と同じであり、第３の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００３２】
この実施形態においても第１の実施形態と同じ効果が得られる。
【００３３】
図１２には本発明の第８の実施形態の要部が示されている。この実施形態のスイッチ装置１９は、第５の実施形態の切換えレバー２の代わりに、スライダ１４に設けたつまみ（操作子）２０により、スライダ１４を直接動作させるようにしている。その他の点は、第５の実施形態と同じであり、第５の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００３４】
この実施形態においても第１の実施形態と同じ効果が得られる。
【００３５】
図１３（ａ），（ｂ）には本発明の第９の実施形態の要部が示されている。この実施形態のスイッチ装置２１は、第４の実施形態の切換えレバー２の代わりに、つまみ（操作子）２２により、スライダ４，５を動作させるようにしている。その他の点は、第４の実施形態と同じであり、第４の実施形態の構成部材に相当する部分は同一符号を用いて、その説明は省略する。なお、この実施形態においても、当該実施形態の趣旨を逸脱しない範囲で、第１の実施形態と同様の変形を施すことができることは勿論である。
【００３６】
図１４（ａ）〜（ｄ）には本発明の第１０の実施形態の要部が示されている。この実施形態のスイッチ装置２３は、切換えレバー２によって、弧状の可動端子４ｂ，５ｂを直接動作させるようにしている。ここで、一方の可動端子４ｂは切換えレバー２の先端に回転自在に取り付けられている。また、他方の可動端子５ｂは長孔５ｄを有し、この長孔５ｄに切換えレバー２に付設したピン２ｄが臨入した形となっている。具体的動作は図１４（ａ）〜（ｄ）に記載されているが、その動作は第１の実施形態とほぼ同じであるので、その説明は省略する。ただし、可動端子４ｂが固定端子６ａと非接触状態となり得る場合がある点で、第１の実施形態と異なっている。なお、この実施形態においても、当該実施形態の趣旨を逸脱しない範囲で、第１の実施形態と同様の変形を施すことができることは勿論である。
【００３７】
この実施形態によっても第１の実施形態と同様の効果を得ることができる。
【００３８】
図１５には本発明の第１１の実施形態の要部が示されている。この実施形態のスイッチ装置２４は、第１０の実施形態の変形例であり、切換えレバー２の軸２ａを挟んだ箇所で可動端子４ｂ，５ｂを動作させるようにしている。具体的動作は図１５（ａ）〜（ｄ）に記載されているが、その動作は第１の実施形態とほぼ同じであるので、その説明は省略する。ただし、可動端子４ｂが固定端子６ａと非接触状態となり得る場合がある点で、第１の実施形態と異なっている。なお、この実施形態においても、当該実施形態の趣旨を逸脱しない範囲で、第１の実施形態と同様の変形を施すことができることは勿論である。
【００３９】
この実施形態によっても第１の実施形態と同様の効果を得ることができる。
【００４０】
以上、本発明者がなした発明の実施形態について説明したが、本発明は、かかる実施形態に限定はされず、本発明の要旨を変更しない範囲において種々の変更が可能であることはいうまでもない。
【００４１】
例えば、前記では、第１の実施形態の所で、ポイント切換え回路９０を説明したが、その他の実施形態も同様のポイント回路に適用できることはいうまでもない。
【００４２】
また、前記実施形態では、操作子の折返し位置で第１および第２のスイッチ回路が共にＯＦＦとなる場合について説明したが、操作子の折返し位置で第１または第２のスイッチ回路をＯＮしておくような構成にし、第１および第２のスイッチ回路が切換え時に一時的に同時にＯＮするような構成とすることも可能である。
【００４３】
また、１つの操作子および２つの可動端子からなる組を複数組設けてスイッチを構成しても良い。
【００４４】
【発明の効果】
本発明によれば、１つの操作子の動作によって、まず、一方の可動端子が動作して、他方の可動端子が閉じた状態となっている回路について、当該一方の可動端子が閉じた状態となると、当該回路が一時的にＯＮされ、さらに一方の可動端子が動作すると、当該可動端子は開いた状態となり、スイッチ回路は共にＯＦＦになる。その結果、操作性に優れかつ簡易なスイッチ装置の実現が図れる。
【図面の簡単な説明】
【図１】第１の実施形態のスイッチ装置の縦断面図である。
【図２】第１の実施形態のスイッチ装置の要部の分解斜視図である。
【図３】第１の実施形態を説明するための回路図である。
【図４】第１の実施形態を説明するための回路図である。
【図５】第１の実施形態を適用したポイント切換え回路を示す図である。
【図６】第２の実施形態のスイッチ装置の要部の構成図である。
【図７】第３の実施形態のスイッチ装置の要部の構成図である。
【図８】第４の実施形態のスイッチ装置の要部の構成図である。
【図９】第５の実施形態のスイッチ装置の要部の構成図である。
【図１０】第６の実施形態のスイッチ装置の要部の構成図である。
【図１１】第７の実施形態のスイッチ装置の要部の構成図である。
【図１２】第８の実施形態のスイッチ装置の要部の構成図である。
【図１３】第９の実施形態のスイッチ装置の要部の構成図である。
【図１４】第１０の実施形態のスイッチ装置の要部の構成図である。
【図１５】第１１の実施形態のスイッチ装置の要部の構成図である。
【図１６】従来のスイッチ装置の回路図である。
【符号の説明】
１，１０，１１，１２，１３，１５，１７，１９，２１，２３，２４  スイッチ装置
２    切換えレバー（操作子）
１６，１８，２０，２２    つまみ（操作子）
４ｂ，５ｂ    可動端子
【図１】
0003670730.tif 000002
【図２】
0003670730.tif 000003
【図３】
0003670730.tif 000004
【図４】
0003670730.tif 000005
【図５】
0003670730.tif 000006
【図６】
0003670730.tif 000007
【図７】
0003670730.tif 000008
【図８】
0003670730.tif 000009
【図９】
0003670730.tif 000010
【図１０】
0003670730.tif 000011
【図１１】
0003670730.tif 000012
【図１２】
0003670730.tif 000013
【図１３】
0003670730.tif 000014
【図１４】
0003670730.tif 000015
【図１５】
0003670730.tif 000016
【図１６】
0003670730.tif 000017